(57)【要約】      （修正有）【課題】パワーストーンを常時身につけられるようにするとともに、パワーストーンの重要な要素の一つである鮮やかな色彩が失われないようにすることができる、ネイルアート用のパウダー状パワーストーンを提供する。【解決手段】ネイルアート用の着色済みのパウダー状パワーストーン１は、パウダー状パワーストーン２が顔料３により着色されていることを特徴としている。また、本考案に係るネイルアート用の着色済みのパウダー状パワーストーン１は、パウダー状パワーストーン２の表面を、顔料３によって着色して構成する。【選択図】図１
0003156023.tif 000002
【実用新案登録請求の範囲】
【請求項１】
ネイルアートにおいて使用することを目的とした、顔料により着色されたパウダー状パワーストーン。
【請求項２】
ネイルアートにおいて使用することを目的とするパウダー状パワーストーンであって、当該パウダー状パワーストーンの表面が、顔料によって着色されていることを特徴とする、パウダー状パワーストーン。
【考案の詳細な説明】
【技術分野】
【０００１】
本考案は、ネイルアートにおいて使用することを目的とするパワーストーンに関するものである。特に、ネイルアートにおいて爪に塗布する塗料（ベースコートやマニキュア等）に混合して使用する際に非常に好適な、着色済みのパウダー状パワーストーンに関するものである。
【背景技術】
【０００２】
手足の爪に彩色をしたり、この彩色をした爪に、色鮮やかなストーン等で装飾を施すネイルアートは、近年、特に若い女性を中心に注目を浴びている。そして、このネイルアートの装飾に使用するストーンとして、常時に身に付けておくと特殊な力を享受できるとされる、いわゆる「パワーストーン」が、ここ最近、非常に人気が高く、ネイルサロン等において、数多く使用されるようになってきている。
【０００３】
しかしながら、ネイルアートを楽しむ女性らの職種によっては、ネックレスやブレスレット等のアクセサリー類と同様に、ネイルアートとしてのパワーストーンの使用が禁止されてしまう場合がある。パワーストーンによる特殊な力は、パワーストーンを常時身に付けることによって享受できるとされているため、これは、パワーストーンの愛好者にとっては、非常に重大な問題となってしまう。
【０００４】
なお、本考案者は、当初、この問題について、パワーストーンを破砕してパウダー状にしたものを、ネイルアートにおいて爪に塗布する塗料（ベースコートやマニキュア等）に混合し、これを爪に塗布することによって解決できると考えていた。しかし、この場合、得られるパウダーは、白色や灰色のものとなってしまうため、パワーストーンの重要な要素の一つである鮮やかな色彩が完全に失われてしまい、パワーストーンとしての価値が著しく減少してしまう、という問題が新たに生じることが分かった。
【０００５】
本考案者は、このような実情のもと、ネイルアートにおいてパワーストーンを使用する方法について、鋭意検討を重ねた。その結果、本考案者は、顔料により着色されたパウダー状パワーストーン、すなわち、パウダー状パワーストーンであって、当該パウダー状パワーストーンの表面が、顔料によって着色されているものを使用することによって、前掲のような問題を解決できる、という知見を得、本考案を創作するに至った。
【考案の概要】
【考案が解決しようとする課題】
【０００６】
本考案は、パワーストーンを常時身につけられるようにするとともに、パワーストーンの重要な要素の一つである鮮やかな色彩が失われないようにすることができる、ネイルアート用のパウダー状パワーストーンを提供することを目的とする。
【課題を解決するための手段】
【０００７】
そのための手段として、本考案に係るネイルアート用のパウダー状パワーストーンは、顔料により着色されたパウダー状パワーストーンであることを特徴としている。
【０００８】
また、本考案に係るネイルアート用のパウダー状パワーストーンは、当該パウダー状パワーストーンの表面が、顔料によって着色されていることを特徴としている。
【考案の効果】
【０００９】
本考案によれば、パワーストーンを常時身につけられるようにするとともに、パワーストーンの重要な要素の一つである鮮やかな色彩が失われないようにすることができる、ネイルアート用のパウダー状パワーストーンを提供することができる。
【図面の簡単な説明】
【００１０】
【図１】本考案に係る着色済みのパウダー状パワーストーン１の断面図
【考案を実施するための形態】
【００１１】
以下、添付図面に沿って、本考案の「パウダー状パワーストーン」を実施するための形態について説明する。図１は、本考案の実施形態に係る着色済みのパウダー状パワーストーン１の粒一つのみを示したものである。そして、この着色済みのパウダー状パワーストーン１は、図示されているように、パウダー状パワーストーン２の表面が、顔料３によって着色されているものである。なお、言うまでもなく、本考案に係るパウダー状パワーストーンは、この着色済みのパウダー状パワーストーン１が多数集合したものである。
【００１２】
ここで、本実施形態に係る着色済みのパウダー状パワーストーン１の製造方法について説明する。まず、破砕機を利用して、クリスタル（水晶）、及び、シトリン（黄水晶）をそれぞれパウダー状にする。次に、これらパウダー状にした、クリスタル（水晶）、及び、シトリン（黄水晶）を、重量比７：３の割合で混ぜ合わせ、これに、本来のシトリンが有する色彩に近づくように、適宜顔料を加えて混ぜ、着色済みのパウダー状パワーストーン１を得る。
【００１３】
そして、以上のようにして得られる着色済みのパウダー状パワーストーン１を、ネイルアートにおいて爪に塗布する塗料（ベースコートやマニキュア等）に混合し、ネイルアートにおいて使用する。
【００１４】
なお、以上の実施形態においては、パワーストーンとして、クリスタル（水晶）、及び、シトリン（黄水晶）を使用したが、当然ながら、本考案においては、これらに限らず、すべてのパワーストーンを、一種類のみ又は二種類以上の適宜混合して、使用することが可能である。また、本考案において、パワーストーンとは、宝石、貴石、半貴石であって、特に特殊な力を享受できるといわれているものをいう。
【００１５】
さらに、本考案は、当然ながら、以上の実施形態で説明したパウダー状パワーストーンや、図示されたパウダー状パワーストーンに限定されるものではない。また、本考案の範囲には、当然ながら、本考案の技術的思想が具現化されたものも含まれるものとする。
【符号の説明】
【００１６】
１：着色済みのパウダー状パワーストーン、
２：パウダー状パワーストーン、
３：顔料、
【産業上の利用可能性】
【００１７】
本考案に係るパウダー状パワーストーンは、以上のような構成となっているので、パワーストーンの重要な要素の一つである鮮やかな色彩が失われないようにすることができる。また、本考案に係るパウダー状パワーストーンを、ネイルアートにおいて爪に塗布する塗料（ベースコートやマニキュア等）に混合して使用すれば、パワーストーンを常時身につけられるようにすることができる。
【００１８】
さらに、本考案によれば、ベースコートにパウダーを入れることができるので、ベースコートの表面が適度に凹凸状となる。そのため、付け爪を取り付ける際に、接合力強化のため地爪を削る必要が無くなり、これにより、地爪を傷めずに済む、という効果を得ることもできる。
【図１】
0003156023.tif 000003